(57)【要約】【課題】汎用性に富み、コストパフォーマンスに優れた通気用下地材を提供する。【解決手段】室内側面１１と室外側面１２とを有する横長直方体形状の通気用下地材本体１０と、室内側面１１に取り付けられ、虫や塵芥を通過させず、同時に通気性を保つ網状部材としてのネット１４とで通気用下地材１を構成し、通気用下地材本体１０の上端部又は下端部から鋸などで切り込んでスリット１３を作製し、その幅を３ｍｍ、その長さを通気用下地材本体１０の短手方向の長さの三分の二とし、ピッチを３０ｍｍとする。【選択図】図１
0003147486.tif 000002
【実用新案登録請求の範囲】
【請求項１】
室内側の壁体内或いは壁面、又は室内の天井面に取り付け可能な通気用下地材であって、室内側面に網状部材が取り付けられ、該室内側面と室外側面との間を貫通する間隙が、長手方向又は短手方向に一又は複数設けられたことを特徴とする通気用下地材。
【請求項２】
前記間隙は、幅が３〜５ｍｍであって、ピッチが少なくとも３０ｍｍ以上であり、かつ、前記短手方向の全長の二分の一から三分の二までの長さを有する細隙であることを特徴とする請求項１に記載の通気用下地材。
【請求項３】
前記間隙は、円形、三角形、四角形若しくはそれらの変形タイプの楕円形、多角形のいずれかの形状からなる、又は、多孔質材料の孔であることを特徴とする請求項１に記載の通気用下地材。
【請求項４】
前記網状部材を介して、前記網状部材の一部を遮蔽する意匠用部材を取り付けた請求項１から請求項３までのいずれか一つに記載の通気用下地材を、家屋の壁、巾木部分、床又は天井並びに小屋裏の少なくともいずれかに適用した、ことを特徴とする壁空調システム。
【考案の詳細な説明】
【技術分野】
【０００１】
本考案は、自然換気或いは強制換気などにより室内に空気を吐出する通気用下地材及びこれを用いた壁空調システムに関し、特に、虫や塵芥を通過させず、汎用性に富み、コストパフォーマンスに優れた通気用下地材及びこれを用いた、室内空気の給気又は排気を行う壁空調システムに関する。
【背景技術】
【０００２】
一般に、家屋の換気のための空調システムには、天井吹き出し空調システム、壁吹き出し空調システムなどが知られている。従来、多くの家屋で取り入れられているのが、天井吹き出し空調システムであるが、暖房時に温風が天井面に滞留してしまい、天井と床との間に温度勾配が生じ、これにより外気と接している窓から、冷気が部屋へ抜かって押し寄せる所謂コールドドラフトと呼ばれる現象が引き起こされるという問題があり、壁吹き出し空調システムの活用が見直されている。
【０００３】
その中で、下記特許文献１では、床下空間に送風された空気を巾木に形成した貫通孔を通じてその先端の吹出口より所定の室内へ吐出する床吹出し冷暖房システムに係る発明が提案されている。しかし、下記特許文献１の巾木における吹出口は、実施例に開示されているものを含め、すべて室内側からその開口部が可視できるため、建築の意匠の観点、他の仕上部材との調和の観点から好ましいものとはいえないという問題がある。
【特許文献１】特開２００４−１８３９６８号公報
【０００４】
一方、本願出願人は、上述した問題を解決し、外部からの新鮮な空気を室内へ吐出させる手段、或いは、冷暖房換気システムにおける冷暖房又は除湿空気等を室内へ吐出させる手段として巾木を利用すると同時に、この巾木における吹出口となる開口部を、室内からは通常の状態では可視できない部位に設けた通気巾木に関する発明を、例えば、下記特許文献２に提案している。具体的には、本体の表面側側壁に本体と平行して溝を延設し、この溝内の奥側上端部或いはそれに近接する上方部の位置に吹出口を設け、この吹出口は本体の裏面側から連通する貫通孔として形成してなり、特に、貫通孔が、溝に平行して横方向に所定長連続する溝型貫通孔であったり、又は、溝に沿って断面円形、三角形、四角形或いはそれらの変形タイプの楕円形、多角形等のいずれかの形状からなる単独の孔とし、それらを適数個並設した穴型貫通孔とした通気巾木を提案している。
【特許文献２】特開２００８−８０１３号公報
【考案の開示】
【考案が解決しようとする課題】
【０００５】
上記特許文献２に係る通気巾木では、室内の下端部に位置するので、下端部より新鮮な空気或いは冷暖房や除湿された空気を吹き出すことができ、室内全体に行き渡る空気の流れを形成することができ、同時に、室内側からは全く可視することができない位置に上記吹出口の開口部を構成しているので、室内の意匠や仕上げ手段に吹出口の存在を意識することなく内装施工することが可能である。しかし、このような換気手段を、室内の下端部に限らず、家屋の壁、巾木部分、床又は天井並びに小屋裏など、様々な箇所に適用したいという要望がある。さらに、特許文献２に係る通気巾木は、複雑な形状をしているため、製作コストが嵩み、コストダウンの要請も強いという課題があった。また、室内側にネットが取り付けられた通気巾木は清掃し易いが、意匠性の観点上或いは外観上好ましくない。
【０００６】
本考案は、上記実情を鑑み提案されたもので、虫や塵芥を通過させず、汎用性に富み、室内側から容易に清掃することが可能であって、コストパフォーマンスに優れた通気用下地材及びこれを用いた壁空調システムを提供することを目的とする。
【課題を解決するための手段】
【０００７】
上記目的を達成するため、本考案は、室内側の壁体内或いは壁面、又は室内の天井面に取り付け可能な通気用下地材であって、室内側面に網状部材が取り付けられ、室内側面と室外側面との間を貫通する間隙が、長手方向又は短手方向に一又は複数設けられたことを特徴とする。
【０００８】
上記間隙は、幅が３〜５ｍｍであって、ピッチが少なくとも３０ｍｍ以上であり、かつ、短手方向の全長の二分の一から三分の二までの長さを有する細隙であることが好ましく、円形、三角形、四角形若しくはそれらの変形タイプの楕円形、多角形のいずれかの形状からなる、又は、多孔質材料の孔であっても好ましい。
【０００９】
また、本考案に係る壁空調システムは、網状部材を介して、網状部材の一部を遮蔽する意匠用部材を取り付けた上記通気用下地材を、家屋の壁、巾木部分、床又は天井並びに小屋裏の少なくともいずれかに適用したことを特徴とする。
【考案の効果】
【００１０】
本考案は、室内側の壁体内或いは壁面、又は室内の天井面に取り付け可能な通気用下地材に関し、室内側面に網状部材を取り付け、室内側面と室外側面との間を貫通する間隙を長手方向又は短手方向に一又は複数設けて構成したので、まず、間隙を長手方向又は短手方向に一又は複数有するために、外部からの新鮮な空気を室内へ吐出させることができる。網状部材は、虫や塵芥を通過させない役割を果たしつつ、間隙を室内から可視することをも不可能にするので、建築の意匠の観点、他の仕上部材との調和の観点から好ましい。さらに、このような効果を、通気用下地材の本体及び網状部材という簡単かつ低コストな構成により実現することができ、適用場所についても家屋の壁、巾木部分、床又は天井並びに小屋裏などの少なくともいずれか一つに制限されることもないので、汎用性に富むという有利な効果を有する。
【００１１】
間隙は、幅が３〜５ｍｍであって、ピッチが少なくとも３０ｍｍ以上であり、かつ、短手方向の全長の二分の一から三分の二までの長さを有する細隙とすれば、通気用下地材自体の強度を有しつつ、室内の換気に十分な量の新鮮な空気を室内へ吐出させることができ、円形、三角形、四角形或いはそれらの変形タイプの楕円形、多角形のいずれかの形状からなる、又は、多孔質材料の孔であっても、通気用下地材の強度を有しつつ、室内の換気に十分な量の外部からの新鮮な空気を室内へ吐出させることができるため、低コスト、かつ、より汎用性に富んだ通気用下地材を適用場所に柔軟に対応して提供することが可能となる。
【００１２】
そして、網状部材を介して、網状部材の全部又は一部を遮蔽する意匠用部材を取り付けて上記通気用下地材を構成すれば、上述した効果を有するとともに、家屋の壁、巾木部分、床又は天井並びに小屋裏のいずれにも適用しても、建築の意匠の観点、他の仕上部材との調和の観点から好ましい壁空調システムを提供することができる。
【考案を実施するための最良の形態】
【００１３】
以下、本考案に係るいくつかの実施例について、図面に基づいて詳述する。
なお、図１は、実施例１における通気用下地材を示した概略斜視図であり、理解を容易にするために、網状部材を通気用下地材本体から外した状態を示している。図２は、実施例１における通気用下地材本体となる通気用下地材用の原材を示した概略正面図、図３は、実施例２における通気用下地材の概略正面図、図４は、実施例３における通気用下地材の概略正面図である。
【実施例】
【００１４】
（実施例１）
本考案に係る通気用下地材１は、図１に示すとおり、室内側面１１と室外側面１２とを有する横長直方体形状の通気用下地材本体１０と、室内側面１１に取り付けられ、虫や塵芥を通過させず、同時に通気性を保つ網状部材としてのネット１４と、から構成されている。
【００１５】
通気用下地材本体１０には、図２に示すとおり、室内側面１１と室外側面１２との間を貫通する間隙としてのスリット１３が、短手方向に複数設けられている。特に、スリット１３は、作りやすさの観点から、横長の通気用下地材本体１０の上端部又は下端部から鋸などで切り込んで、作製されている。スリット１３の幅は、例えば、３ｍｍであり、長さは通気用下地材本体１０の短手方向の三分の二、例えば、１００ｍｍである。なお、通気用下地材本体１０は、適用する家屋（部屋）の広さからその都度、寸法（長手方向や短手方向）を決めて用いるものであり、例えば、本実施例１の通気用下地材本体１０の寸法は、長手方向が３００ｍｍ、短手方向が１５０ｍｍ、厚みが１３ｍｍである。スリット１３の左右方向のピッチは、例えば、３０ｍｍである。したがって、実施例１における通気用下地材本体１０には、合計９箇所のスリット１３が設けられることとなる。
【００１６】
ちなみに、間隙は、幅が大きくなるほど、長さが長くなるほど、ピッチが細かくなるほど、外部からの新鮮な空気を室内へ吐出させるのに好都合であるが、家屋に適用するのに耐えうる強度を通気用下地材本体１０に備えさせる必要があるため、幅を３〜５ｍｍ、左右方向のピッチを３０ｍｍ以上、かつ、長さを短手方向の二分の一から三分の二までの長さのスリットとすることが望ましい。
【００１７】
ネット１４は、室内から通気用下地材１のスリット１３を可視することを不可能にしつつ、虫や塵芥を通過させない程度の網目の細かさを有し、室内側面１１の全面を覆っている。ネット１４は、少なくとも通気用下地材本体１０に設けられたスリット１３を覆うことで、虫や塵芥を通過させず、同時に通気性を保つ機能を担保することができるが、手間がかかるので、室内側面１１の全面を覆うことが望ましい。
【００１８】
（実施例２）
実施例２に係る通気用下地材１は、図３に示すとおり、実施例１における通気用下地材本体１０の短手方向の複数のスリット１３を、長手方向の複数のスリット１３に代えて構成したものである。本実施例２においても通気用下地材本体１０は、適用する家屋（部屋）の広さからその都度、大きさ（長手方向や短手方向）を決めて用いる。例えば、実施例１と同等の換気能力を有するためには、実施例１のスリット１３の総面積と実施例２のスリット１３の総面積とを一致させ、通気用下地材１自体の備えるべき強度を考慮しながら、幅を３〜５ｍｍ、左右方向のピッチを３０ｍｍ以上として、適宜設けて作製ればよい。
【００１９】
（実施例３）
実施例３に係る通気用下地材１は、図４に示すとおり、実施例１における通気用下地材本体１０の短手方向の複数のスリット１３に代えて、円形、三角形、四角形若しくはそれらの変形タイプの楕円形、多角形のいずれかの形状からなる、又は、多孔質材料の孔の中から、例えば、円形形状のものを選択し、室内側面１１と室外側面１２との間を貫通する間隙としての孔１３ａとして構成したものである。本実施例３においても通気用下地材本体１０は、適用する家屋（部屋）の広さからその都度、寸法（長手方向や短手方向）を決めて用いる。例えば、実施例１と同等の換気能力を有するためには、実施例１のスリット１３の総面積と実施例３の孔１３ａの総面積とを一致させ、通気用下地材１自体の備えるべき強度を考慮しながら、所定の個数の円形形状の孔１３ａを設けて作製する。
【００２０】
上記各実施例において、通気用下地材本体１０には板材を用いている。通気用下地材本体１０には板材のほか、スリット１３又は孔１３ａを開けることが可能な石、モルタル、陶器、陶磁器、タイル、樹脂、各種の金属などの材質を用いればよい。また、実施例１では短手方向に、実施例２では長手方向に、スリット１３を設けた例をそれぞれ説明したが、スリット１３は、通気用下地材本体１０の斜め方向に設けられることを除く趣旨である。通気用下地材１の強度が弱くなって家屋に適用させるのに好ましくないからである。
【００２１】
（実施例４）
本考案の通気用下地材は、第１種換気方式及び第３種換気方式のいずれの換気構造においても適用することができる。
以下、第１種換気方式の換気構造を有する家屋において、本実施例１の通気用下地材１を該家屋の巾木部分に適用した壁空調システムについて、図５に基づいて説明する。図６は、本考案に係る第１種換気方式の壁空調システム１００を備えた建物の概略断面図である。尚、図６において、外気の給気及び屋内の排気を行う換気装置１１０として、換気ファン等の従来の給気用送風機及び排気用送風機を用いることができる。
【００２２】
本考案に係る壁空調システム１００は、図５に示すとおり、ネット１４を介して、ネット１４の一部を遮蔽する意匠用部材としての角材１５を取り付けた実施例１の通気用下地材１を、家屋の壁、巾木部分、床又は天井並びに小屋裏の少なくともいずれか、例えば、巾木部分に適用することにより構成されている。通気用下地材１は、その上端部１６と下端部１７とに角材１５がネット１４を介して取り付けられることにより、外観においてネット１４が目立たなくなっている。一方で、スリット１３の一部が、角材１５が通気用下地材１に取り付けられた状態においても、ネット１４を介して外部と通じているため、室内の換気に十分な量の新鮮な空気を室内へ吐出させることが可能である。
【００２３】
具体的には、壁空調システム１００の換気構造は、家屋の外壁３０１にリビングの床面２００が接し、石膏ボード３０２が図示しない家屋の柱と柱との間に取り付けられて、外壁３０１と石膏ボード３０２との間に所定のクリアランス（空間）を設けて、空気の流路を形成することによって構成される。石膏ボード３０２は、家屋の柱と柱との間に取り付けられている胴縁３０３によっても固定されている。そして、石膏ボード３０２は、下端の一部が欠け、この欠けた部分がリビングの床面２００と接しておらず、この非接触の部分（巾木部分）に、角材１５を取り付けた実施例１の通気用下地材１が嵌め込まれている。
【００２４】
矢印は空気の流れＡを示し、新鮮な空気が、小屋裏に設けた給気口から家屋内に取り入れられ、外壁３０１と石膏ボード３０２との間のクリアランスを通気させられて、巾木部分に到達する。続いて、巾木部分に嵌め込まれた角材１５を取り付けた実施例１の通気用下地材１のスリット１３、ネット１４を通って、リビング内に吐出される。
【００２５】
そうすると、壁空調システム１００では、もともとあった汚れた空気（ハウスダスト・花粉・化学物質・二酸化炭素など）が新鮮な空気に押し出され、図６に示されるように、換気装置１１０によって、各部屋に設けられたダクト１１１〜１１４を経由して、小屋裏の排気口から排出される。これにより、窓や部屋の出入り口による通気だけでは改善されない、部屋の隅の空気のよどみやタンス裏、押し入れやクローゼットなどの湿気までもが除去されて、リビング全体が常に新鮮な空気に触れるようになる。
【００２６】
ここで、図８〜図１２に基づいて、本実施例４に係る壁空調システム１００を、従来の天井吹き出し空調システムと比べた換気性能比較実験及びその結果を説明する。
図８は、従来の天井吹き出し空調システム（従来型モデル）を説明する説明図であって、（ａ）が平面図、（ｂ）が正面図、図９は、本実施例４に係る壁空調システム１００（本実施例モデル）を説明する説明図であって、（ａ）が平面図、（ｂ）が正面図、図１０は、３つのタンスおよびローボードの模型を説明する説明図である。
図１１は、八畳間を十分の一に縮小した模型に大タンス、中タンス、小タンス、ローボードの模型を同じように配置し、実際の居住環境を模したもので、（ａ）が平面図、（ｂ）が正面図、図１２は、本実施例４に係る壁空調システム１００を、従来の天井吹き出し空調システムと比べた換気性能比較実験の結果を説明する説明図である。
【００２７】
まず、八畳間（３．６５ｍ×３．６５ｍ×２．５ｍ）を十分の一に縮小した模型４００を用い、図８のような従来の天井吹き出し空調システム（従来型モデル）であって、空気を室内に流入させる吹き出し口及び室外へ放出する吸い込み口が共に天井にあるものと、図９のような本実施例４に係る壁空調システム１００（本実施例モデル）であって、吸い込み口を天井に設け、吹き出し口（スリット１３）を有する通気用下地材１が巾木部分に適用されたものとを用意し、これらの換気性能を比較した。
なお、壁空調システム１００における通気用下地材１のスリット１３の総面積は、従来モデルの吹き出し口の総面積と一致させ、スリット１３を合計７２個、すなわち８枚の通気用下地材１を模型の四方の壁の巾木部分に適用した。また、従来モデルおよび本実施例モデルにそれぞれ、図１０に示すような大タンス（１５０ｍｍ×６０ｍｍ×２００ｍｍ）Ｘ、中タンス（１２０ｍｍ×６０ｍｍ×２００ｍｍ）Ｙ、小タンス（９０ｍｍ×６０ｍｍ×２００ｍｍ）Ｚ、ローボード（４０ｍｍ×２００ｍｍ×７０ｍｍ）Ｌの模型を同じように配置して、図１１のように、実際の居住環境に近付けている。
【００２８】
実験では、八畳間を十分の一に縮小した模型４００内を水で満たした状態にしておき、吹き出し口から食塩水を流入させるという、室内の空気が軽い夏季を想定した場合と、模型４００内を食塩水で満たした状態にしておき、吹き出し口から水を流入させるという、室内の空気が重い冬季を想定した場合と、模型４００内を水で満たした状態にしておき、吹き出し口から水を流入させるという、室内の空気の重さが中間の春又は秋を想定した場合とのそれぞれについて、所謂レーザー誘起蛍光（ＬＩＦ）法を利用して流れ場の情報を得た。具体的には、流入させる液体に蛍光染料を加え、溶解した蛍光染料の流れ場に適当な波長のレーザーを照射し、励起した染料の蛍光発光強度の濃度依存性を利用して計測することにより、流れ場の情報（蛍光染料の濃度）を得る。そして、八畳間を十分の一に縮小した模型４００内の複数の高さの地点で得た流れ場の情報（蛍光染料の濃度）を、時間経過と併せて測定した。
【００２９】
このとき、流れの幾何学的相似性を保証し、模型４００で実験することの妥当性を得るため、レイノルズ数Ｒｅを一致させた。八畳間の実物と模型４００との両者の、吹き出し速度をｕ、ｕ’、八畳間の縦又は横の一辺の長さ（代表長さ）をｌ、ｌ’、動粘性係数をｖ、ｖ’としたときに、レイノルズ数Ｒｅには、以下のような数式が成り立つ。
【００３０】
【数１】
0003147486.tif 000003
【００３１】
これにより、同一密度の流体の相似則が成り立つ。
また、夏季、冬季の環境を想定するために用意した密度の異なる流体（食塩水）を流し込むものとするので、密度差が生じる状態においては、フルード数Ｆｒを一致させることによって流れの相似性を確保する。フルード数Ｆｒは、次の数式が成立する。
【００３２】
【数２】
0003147486.tif 000004
【００３３】
ここで、ｇ’は浮力による加速度であり、次の数式で表される。
【００３４】
【数３】
0003147486.tif 000005
【００３５】
なお、ＰとＰ0とは、２種類の流体（水と食塩水）の密度を表す。
また、空気の膨張係数をβ、温度差をΔｔとした場合、ｇ’は次の数式で表される。
【００３６】
【数４】
0003147486.tif 000006
【００３７】
そうすると、八畳間の実物と模型４００との間の流体の吹き出し速度、室内の代表長さ、流体の動粘性係数の関係は、下記表１にて示すところとなる。
【００３８】
【表１】
0003147486.tif 000007
【００３９】
そして、表１に基づくと、レイノルズ数Ｒｅを等しくさせる流速ｕ’は、０．３３６（ｍ／ｓ）となる。
【００４０】
また、本実施例モデルの吹き出し口の断面は、縦０．３ｍｍ、横１０ｍｍであり、総数７２個であるので、流量Ｑは、４．３５（ｌ／ｍｉｎ）となる。
【００４１】
なお、本実験で扱う物性値は、重力加速度ｇが９．８１（ｍ／ｓ2）、水の密度ｐが１０００（ｋｇ／ｍ3）、空気の膨張係数βが３．６７４×１０-3（１／Ｋ）である。
また、実験条件としては、模擬する温度差Δｔが１０Ｋ、飽和食塩水の密度Ｐ0が１１５０（ｋｇ／ｍ3）である。
【００４２】
そうすると、上記実験条件では、フルード数Ｆｒが０．４４を示す。したがって、模型４００とフルード数Ｆｒとが一致する流速ｕは、０．３１９（ｍ／ｓ）、流量Ｑは、４．１４（ｌ／ｍｉｎ）となる。
【００４３】
なお、本実験では、フルード数Ｆｒを一致させることを優先させた。また、毎回の流量、密度を一定の値にすることができなかったため、フルード数Ｆｒ、模擬された温度差Δｔ、流速ｕ、密度Ｐ0の実際の実験で用いた値を、下記表２に示す。
【００４４】
【表２】
0003147486.tif 000008
【００４５】
続いて、従来型モデル及び本実施例モデルのそれぞれについて、濃度の測定結果及びその時間的な変化を、図１２に示す。図１２の縦軸は、上記ＬＩＦ法を用いて測定された、屋内全体積算平均の濃度を表す。
【００４６】
図１２において、「装置内水−流入液体食塩水」、「装置内食塩水−流入液体水」及び「装置内水−流入液体水」は、それぞれ、上記した「室内の空気が軽い夏季を想定した場合」、「室内の空気が重い冬季を想定した場合」及び「春又は秋を想定した場合」の実験条件に該当する。
すなわち、図１２において、◆は、従来型モデルの夏季を想定した場合、□は、従来型モデルの冬季を想定した場合、＋は、従来型モデルの春又は秋を想定した場合、▲は、本実施例モデルの夏季を想定した場合、■は、本実施例モデルの冬季を想定した場合、＊は、本実施例モデルの春又は秋を想定した場合のプロットである。
なお、図１２中、無次元化された時間ｔ／τとあるのは、時間ｔを、流量と模型４００の体積に基づく代表時間τで無次元化したものである。代表時間τは、模型４００の体積を流量で割った値である。
また、図１２中、「完全混合」とは、流入する流体が瞬時に完全に混合する状態を示す混合状態を意味し、「ピストン輸送」とは、流入する液体が既に室内にある液体とまったく混ざらずにピストンのように押し出して行く状態を意味する。
【００４７】
図１２に示すとおり、本実施例モデルは、いずれの季節を想定した場合においても従来型モデルのよりも良好な換気能力を有することが示された。特に、冬季を想定した場合において、本実施例モデルと従来型モデルとの差は顕著であり、本実施例モデルによれば混合がもっとも早く進み、従来型モデルによれば混合にもっとも時間が掛かることがわかる。
【００４８】
したがって、本考案に係る通気用下地材１は、室内側面１１と室外側面１２とを有する横長の通気用下地材本体１０と、室内側面１１に取り付けられ、虫や塵芥を通過させず、同時に通気性を保つ網状部材としてのネット１４とで構成し、室内側面１１と室外側面１２とを貫通するスリット１３を短手方向に複数設けたので、通気用下地材１自体の備えるべき強度を有しつつ、外部からの新鮮な空気を室内へ吐出させることができる。ネット１４は、虫や塵芥を通過させない役割を果たしつつ、スリット１３を室内から可視することをも不可能にしたので、建築の意匠の観点、他の仕上部材との調和の観点から好ましいものである。特に、本考案に係る通気用下地材１は、このような効果を、通気用下地材本体１０及びネット１４という簡単かつ低コストな構成により実現し、適用場所も選ばないので、汎用性に富んだ通気用下地材１として提供することができる。
【００４９】
特に、ネット１４を介して、ネット１４の一部を遮蔽する角材１５を通気用下地材１に取り付け、これを家屋の巾木部分に適用すれば、建築の意匠の観点、他の仕上部材との調和の観点から好ましい壁空調システム１００を提供することができる。
【００５０】
以上、本考案のいくつかの実施形態について説明したが、本考案は上記した実施例に限定されるものではなく、実用新案登録請求の範囲に記載した構成を変更しない限り適宜に実施できるものである。例えば、実施例４の屋根裏等に設けた給気用送風機を自然給気口に変更し、図７に示す構造を有する第３種換気方式の空調システムにすることができる。この場合、屋内及び屋外を連通する通気口３１１〜３１４或いはサッシのガラリやレール隙間等の住宅の隙間からも給気できるので、外気を強制的に給気する換気装置は不要である。図７の空調システムは、屋内の空気を換気装置１２１及び１２２により排気するが、該換気装置１２１及び１２２と各部屋とを連絡するダクトを不要とする構造を有する。
【００５１】
また、第１種及び第３種換気方式に限らず、排気用送風機及び給気用送風機のいずれも使用しない自然給気口のみを設けた換気方式の構造であっても、本考案の通気用下地材を用いることができる。この場合、屋内及び屋外の温度差、気圧の変動等の環境的な要因が、屋外及び屋内との間で空気を流通させ得る。従って、自然給気口と本考案の通気用下地材のみを用いて壁空調システムを構成した場合であっても、家屋の外壁と室内側壁面との間のクリアランスに外気を流通させることができるので、該クリアランス側の壁面に結露及びカビの発生を防ぐことができる。
【００５２】
また、本考案の通気用下地材は、家屋の壁、巾木部分、床又は天井並びに小屋裏のいずれにも適用することができるので、実施例に例示したような横長直方体形状に限られず、例えば、扁平な円柱状、楕円柱状、菱形、キャラクターを形取った形状などに造型することができ、居住空間との調和を考慮したデザインにして提供することができるものである。
【図面の簡単な説明】
【００５３】
【図１】実施例１における通気用下地材の概略斜視図である。
【図２】実施例１における通気用下地材本体となる通気用下地材用の原材を示した概略正面図である。
【図３】実施例２における通気用下地材の概略正面図である。
【図４】実施例３における通気用下地材の概略正面図である。
【図５】実施例４に係る壁空調システムの要部を説明する説明図である。
【図６】実施例４に係る壁空調システム１００を備えた建物の概略断面図である。
【図７】本考案に係る第３種換気方式の壁空調システム１００を備えた建物の概略断面図である。
【図８】従来の天井吹き出し空調システム（従来型モデル）を説明する説明図であって、（ａ）が平面図、（ｂ）が正面図である。
【図９】本実施例４に係る壁空調システム（本実施例モデル）を説明する説明図であって、（ａ）が平面図、（ｂ）が正面図である。
【図１０】３つのタンスおよびローボードの模型を説明する説明図である。
【図１１】八畳間を十分の一に縮小した模型に大タンス、中タンス、小タンス、ローボードの模型を同じように配置し、実際の居住環境を模したもので、（ａ）が平面図、（ｂ）が正面図である。
【図１２】本実施例４に係る壁空調システムを、従来の天井吹き出し空調システムと比べた換気性能比較実験の結果を説明する説明図である。
【符号の説明】
【００５４】
１      通気用下地材
１０    通気用下地材本体
１１    室内側面
１２    室外側面
１３    スリット（間隙）
１３ａ  孔（間隙）
１４    ネット（網状部材）
１５    角材（意匠用部材）
１６    通気用下地材の上端部
１７    通気用下地材の下端部
１００  壁空調システム
１１０  換気装置
１１１  ダクト
１２１  換気装置
２００  リビングの床面
３０１  外壁
３０２  石膏ボード
３０３  胴縁
３１１  通気口
４００  八畳間を十分の一に縮小した模型
Ａ      空気の流れ（矢印）
Ｌ      ローボード
Ｘ      大タンス
Ｙ      中タンス
Ｚ      小タンス
【図１】
0003147486.tif 000009
【図２】
0003147486.tif 000010
【図３】
0003147486.tif 000011
【図４】
0003147486.tif 000012
【図５】
0003147486.tif 000013
【図６】
0003147486.tif 000014
【図７】
0003147486.tif 000015
【図８】
0003147486.tif 000016
【図９】
0003147486.tif 000017
【図１０】
0003147486.tif 000018
【図１１】
0003147486.tif 000019
【図１２】
0003147486.tif 000020